(57)【要約】【課題】室外ユニットの送風機駆動用モータを固定する一体形の取付け装置は強度保持上十分な厚さの鉄板をプレス加工によって複雑に絞り、かつ通風抵抗になる部分をカットする必要があり、材料の厚さ、カットする部分にロスが生じること。【解決手段】送風機用駆動モータ取付け装置９を複数の部品を爪やネジにより組み立てる構成とすることで、各部品が強度的に最適な板厚に出来、形状も加工上で捨てる部分や、複雑な形状や加工を無くす構成によって、送風機７及び送風機駆動用モータ８を強度的に保持し、なおかつ送風回路の抵抗にならないようにできるだけ小さい形状が求められるという相反する条件に最適な形状の取付け装置を提供することができる。【選択図】図２
2006194508.tif 000002
【特許請求の範囲】
【請求項１】
互いに締結されている複数の部品からなる、一体型でない送風機駆動用モータ取付け装置を有する分離型空気調和機。
【請求項２】
送風機駆動用モータ取付け部が、別部品として送風機駆動用モータ取付け装置にビス等で締結されている請求項１に記載の分離型空気調和機。
【発明の詳細な説明】
【技術分野】
【０００１】
本発明は、送風機用駆動モータが取り付けられている分離型空気調和機に関するものである。
【背景技術】
【０００２】
従来、この種の分離型空気調和機では、室外ユニットの送風機駆動用モータは一体化された取付け装置に固定するよう構成されている（例えば、特許文献１参照）。
【０００３】
図４は、特許文献１に記載された従来の分離型空気調和機の分解斜視図、図５は従来の送風機駆動用モータ取付け装置の斜視図を示すものである。図４に示すように、室外ユニットには熱交換器６、送風機７、送風機駆動用モータ８が配設されている。この熱交換器６は、筐体１の背面１ａ及び左側面１ｂに形成された空気取入口に対向せしめられている。また、送風機７及び送風機駆動用モータ８は一体形の取付け装置１０に固定され筐体１の前面パネル１ｃに形成された吹出口１１に臨むように配設されている。
【０００４】
送風機７が送風機駆動用モータ８によって回転駆動すると、外気が空気取入口から吸入され、熱交換器６を流過する過程で冷媒と熱交換することによって昇温または降温した後、送風機７に付勢されて吹出口１１から外部に排出される。
【０００５】
また図５に示すように、送風機駆動用モータ取付け装置は一体形の部品として成形されている。
【特許文献１】実開平５−６６４３３号公報
【発明の開示】
【発明が解決しようとする課題】
【０００６】
しかしながら、前記従来の構成では、送風機駆動用モータを固定する一体形の取付け装置は、送風機及び送風機を回転駆動する送風機駆動用モータを強度的に保持し、なおかつ送風回路の抵抗にならないようにできるだけ小さい形状が求められるという相反する条件が求められる。
【０００７】
そこで、一体形の取付け装置の場合は強度保持上十分な厚さの鉄板をプレス加工によって複雑に絞り、かつ通風抵抗になる部分をカットする必要があり、材料の厚さ、カットする部分にロスが生じるという課題を有していた。
【０００８】
また、送風機駆動用モータの形状によりその都度モータ取付け部の形状を変えなければならず、その為、一体形の取付け装置全体を作り直す必要があるという課題を有していた。
【０００９】
更に、送風機及び送風機駆動用モータの質量は製品の能力などの仕様により大きく変わるがその都度それに合わせた合理的形状の一体形の取り付け装置を配設することはコスト面で困難であるため、最も重い質量に支えるに耐える仕様の一体形の取り付け装置を全ての製品に共通して使用しなければならないという課題を有していた。
【００１０】
本発明は、前記従来の課題を解決するもので、送風機及び送風機駆動用モータを固定する取付け装置を複数の部品に分割して、それを爪やネジにより組み立てるもので、これにより、各部品が、強度的に最適な板厚に出来、形状も加工上で捨てる部分を減らし、複雑な形状や加工を無くし、最適な形状の取付け装置を提供することが出来る。
【００１１】
さらに、外形や取付け形状の異なるモータに対して、モータ取付け部分だけをその都度交換するだけで容易に配設できる送風機用駆動モータ取付け装置を有する分離型空気調和機を提供することを目的とする。
【課題を解決するための手段】
【００１２】
前記従来の課題を解決するために、本発明の分離型空気調和機は、送風機用駆動モータ取付け装置を複数の部品を爪やネジにより組み立てる構成とすることで、各部品が強度的に最適な板厚に出来、形状も加工上で捨てる部分や、複雑な形状や加工を無くす構成によって、送風機及び送風機駆動用モータを強度的に保持し、なおかつ送風回路の抵抗にならないようにできるだけ小さい形状が求められるという相反する条件に最適な形状の取付け装置を提供することができる。
【００１３】
また、本発明の分離型空気調和機は、送風機駆動用モータ取付け部が送風機駆動用モータ取付け装置にビス等で締結することにより、外形や取付け形状の異なるモータに対して、モータ取付け部分だけをその都度交換するだけで容易に配設できる取付け装置を提供することができる。
【発明の効果】
【００１４】
本発明の分離型空気調和機は、送風機及び送風機駆動用モータを強度的に保持し、なおかつ送風回路の抵抗にならないようにできるだけ小さい形状が求められるという相反する条件に最適な形状の送風機駆動用モータ取付け装置を提供することができ、空気調和機の性能向上とコストダウンに寄与することができる。
【発明を実施するための最良の形態】
【００１５】
第１の発明は送風機駆動用モータ取付け装置を一体型でなく、互いに締結されている複数の部品からなる構成とすることにより、強度保持と送風回路の抵抗にならない形状という相反する条件に最適な形状の送風機駆動用モータ取付け装置を提供することができ、空気調和機の性能向上とコストダウンに寄与することができる。
【００１６】
第２の発明は、特に、第１の発明の送風機駆動用モータ取付け部を、別部品として送風機駆動用モータ取付け装置にビス等で締結されている構成とすることにより、外形や取付け形状の異なるモータに容易に対応できる取付け装置を提供することができ、更なる空気調和機の性能向上とコストダウンに寄与することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における分離型空気調和機の分解斜視図、図２は、送風機駆動用モータ取付け装置の分解斜視図を示すものである。
【００１９】
図１において、筐体１の背面１ａ及び左側面１ｂに形成された空気取入口に対向せしめられているＬ字形の熱交換器６、送風機７、送風機駆動用モータ８が配設されている。送風機７及び送風機駆動用モータ８は送風機駆動用モータ取付け装置９に固定され、筐体１の前面パネル１ｃに形成された吹出口１１に臨むように配設されている。
【００２０】
送風機７を送風機駆動用モータ８によって回転駆動すると、外気が１ａ及び１ｂに形成された空気取入口から吸入され、Ｌ字形の熱交換器６を流過する過程で冷媒と熱交換することによって昇温または、降温した後、送風機７に付勢されて吹出口１１から外部に排出
される。
【００２１】
図２において、送風機７及び送風機駆動用モータ８が取り付けられる送風機駆動用モータの取付け装置９は、６個の部品、即ち、送風機駆動用モータ取付部９ａ、９ｂ、送風機駆動用モータ取付け装置桁部９ｃ、送風機駆動用モータ取付け装置脚部９ｄ、送風機駆動用モータ取付け装置材軸部９ｅ、９ｆをビスで締結して組み立てられている。
【００２２】
以上のように構成された分離型空気調和機について、送風機７及び送風機駆動用モータ８を固定する取付け装置９を６個の部品に分割することにより、各部品が強度的に最適な板厚に出来、形状も加工上で捨てる部分を減らし、複雑な形状や加工を無くし最適な形状の取付け装置９を提供することが出来る。
【００２３】
以上のように、本実施の形態においては送風機駆動用モータ取付け装置を一体型でなく、互いに締結されている複数の部品からなる構成とすることにより、強度保持と送風回路の抵抗にならない形状という相反する条件に最適な形状の送風機駆動用モータ取付け装置を提供することができ、空気調和機の性能向上とコストダウンに寄与することができる。
【００２４】
（実施の形態２）
図３は、本発明の第２の実施の形態における送風機駆動用モータ取付け装置の分解斜視図を示すものである。
【００２５】
図３において、送風機駆動用モータ取付け部９ａ、９ｂを送風機駆動用モータ取付け装置９にビス等で締結することにより、外形や取付け形状の異なるモータに対してモータ取付け部９ａ、９ｂだけをその都度交換するだけで容易に対応できる。
【００２６】
以上のように、本実施の形態においては送風機駆動用モータ取付け部を、別部品として送風機駆動用モータ取付け装置にビス等で締結されている構成とすることにより、外形や取付け形状の異なるモータに容易に対応できる取付け装置を提供することができ、更なる空気調和機の性能向上とコストダウンに寄与することができる。
【産業上の利用可能性】
【００２７】
以上のように、本発明にかかる分離型空気調和機は、部品を一体型から組立型に変えることで、相反する条件に最適な形状の送風機駆動用モータ取付け装置を提供することが可能となるので、送風機と送風機駆動用モータを有する種々の製品の用途にも適用できる。
【図面の簡単な説明】
【００２８】
【図１】本発明の実施の形態１における分離型空気調和機の分解斜視図
【図２】本発明の実施の形態１における送風機駆動用モータ取付け装置の分解斜視図
【図３】本発明の実施の形態２における送風機駆動用モータ取付け装置の分解斜視図
【図４】従来の分離型空気調和機の分解斜視図
【図５】従来の送風機駆動用モータ取付け装置の斜視図
【符号の説明】
【００２９】
１  筐体
１ａ  筐体の背面
１ｂ  筐体の左側面
１ｃ  筐体の前面パネル
１ｄ  筐体の天面
２  基板
３  仕切板
４  熱交換室
５  機械室
６  熱交換器
７  送風機
８  送風機駆動用モータ
９  送風機駆動用モータ取付け装置
９ａ  送風機駆動用モータ取付部
９ｂ  送風機駆動用モータ取付部
９ｃ  送風機駆動用モータ取付け装置桁部
９ｄ  送風機駆動用モータ取付け装置脚部
９ｅ  送風機駆動用モータ取付け装置材軸部
９ｆ  送風機駆動用モータ取付け装置材軸部
１０  送風機駆動用モータ取付け装置
１１  吹出口
１２  圧縮機
【図１】
2006194508.tif 000003
【図２】
2006194508.tif 000004
【図３】
2006194508.tif 000005
【図４】
2006194508.tif 000006
【図５】
2006194508.tif 000007